(57)【要約】  本発明の実施例はデータ伝送の方法、ユーザ装置及びネットワークデバイスを提供し、該方法は、ユーザ装置ＵＥが第１ビームで第１アップリンク伝送波形を使用してネットワークデバイスへデータを送信すること、ＵＥがネットワークデバイスが送信した少なくとも１つのビームの対応するアップリンク伝送波形を指示するための第１指示メッセージを受信すること、及びＵＥが少なくとも１つのビームの中の第２ビームで第２アップリンク伝送波形を使用してネットワークデバイスへデータを送信し、前記第２アップリンク伝送波形が第１指示メッセージに指示された第２ビームの対応するアップリンク伝送波形であること、を含む。このため、本発明の実施例はＵＥが比較的適当なアップリンク伝送波形を使用して異なるビームでデータを伝送して、これにより良いアップリンクカバレッジ範囲とアップリンク伝送品質を得ることができ、アップリンク伝送の性能を向上させる。
2020504474.tif 000002
【特許請求の範囲】
【請求項１】
データ伝送の方法であって、
ユーザ装置ＵＥは第１ビームで第１アップリンク伝送波形を使用してネットワークデバイスへデータを送信すること、
前記ＵＥは前記ネットワークデバイスが送信した第１指示メッセージを受信し、前記第１指示メッセージは少なくとも１つのビームの対応するアップリンク伝送波形を指示することに用いられること、及び
前記ＵＥは前記少なくとも１つのビームの中の第２ビームで第２アップリンク伝送波形を使用して前記ネットワークデバイスへデータを送信し、前記第２アップリンク伝送波形が前記第１指示メッセージに指示された前記第２ビームの対応するアップリンク伝送波形であること、を含むことを特徴とするデータ伝送の方法。
【請求項２】
前記少なくとも１つのビームは２つ又は２つ以上のビームを含み、前記少なくとも１つのビームの中の異なるビームの対応するアップリンク伝送波形は完全に同じではないことを特徴とする請求項１に記載の方法。
【請求項３】
前記第２ビームの対応するアップリンク伝送波形は、前記ネットワークデバイスが前記第２ビームの対応する伝送チャネルのチャネル品質情報又は前記ＵＥのセルでの位置情報によって確定されることを特徴とする請求項１又は２に記載の方法。
【請求項４】
前記少なくとも１つのビームは前記第１ビームを含まなく、前記ＵＥは前記少なくとも１つのビームの中の第２ビームで、第２アップリンク伝送波形を使用して前記ネットワークデバイスへデータを送信することは、
前記第１ビームが遮断された場合に、前記ＵＥは前記第２ビームで前記第２アップリンク伝送波形を使用して、前記ネットワークデバイスへデータを送信することを含むことを特徴とする請求項１−３のいずれか一項に記載の方法。
【請求項５】
前記第１指示メッセージは更に前記少なくとも１つのビームが前記ＵＥのスタンバイビームであることを指示することに用いられることを特徴とする請求項４に記載の方法。
【請求項６】
前記方法は、
前記ＵＥは前記ネットワークデバイスが送信した第２指示メッセージを受信し、前記第２指示メッセージは前記少なくとも１つのビームの対応するアップリンク伝送波形を指示することに用いられ、前記第２指示メッセージに指示された前記少なくとも１つのビームの対応するアップリンク伝送波形が前記第１指示メッセージに指示された前記少なくとも１つのビームの対応するアップリンク伝送波形と異なること、及び
前記ＵＥが前記少なくとも１つのビームの中の第３ビームで第３アップリンク伝送波形を使用して前記ネットワークデバイスへデータを送信し、前記第３アップリンク伝送波形が前記第２指示メッセージに指示された前記第３ビームの対応するアップリンク伝送波形であることを更に含むことを特徴とする請求項１−５のいずれか一項に記載の方法。
【請求項７】
前記第１指示メッセージは高レベルシグナリング又はダウンリンク制御情報ＤＣＩであることを特徴とする請求項１−６のいずれか一項に記載の方法。
【請求項８】
前記アップリンク伝送波形は離散フーリエ変換スペクトラム拡散の直交周波数分割多重アクセスＤＦＴ−Ｓ−ＯＦＤＭ技術で確定された波形又はサイクリックプレフィックス−直交周波数分割多重アクセスＣＰ−ＯＦＤＭ技術で確定された波形を含むことを特徴とする請求項１−７のいずれか一項に記載の方法。
【請求項９】
データ伝送の方法であって、
ネットワークデバイスはユーザ装置ＵＥが第１ビームで第１アップリンク伝送波形を利用して送信されたデータを受信すること、
前記ネットワークデバイスは少なくとも１つのビームの対応するアップリンク伝送波形を確定すること、及び
前記ネットワークデバイスは前記ＵＥへ第１指示メッセージを送信し、前記第１指示メッセージは前記少なくとも１つのビームの対応するアップリンク伝送波形を指示することに用いられることを含むことを特徴とするデータ伝送の方法。
【請求項１０】
前記少なくとも１つのビームは２つ又は２つ以上のビームを含み、前記少なくとも１つのビームの中の異なるビームの対応するアップリンク伝送波形は完全に同じではないことを特徴とする請求項９に記載の方法。
【請求項１１】
前記ネットワークデバイスが少なくとも１つのビームの対応するアップリンク伝送波形を確定することは、
前記ネットワークデバイスが前記各ビームの対応する伝送チャネルのチャネル品質情報と、前記ＵＥがセルでの位置情報のうちの少なくとも１種の情報によって、前記少なくとも１つのビームの中の各ビームのアップリンク伝送波形を確定することを含むことを特徴とする請求項９又は１０に記載の方法。
【請求項１２】
前記少なくとも１つのビームは前記第１ビームを含まなく、前記第１指示メッセージは更に前記ＵＥが前記少なくとも１つのビームをスタンバイビームとすることを指示することに用いられることを特徴とする請求項９−１１のいずれか一項に記載の方法。
【請求項１３】
前記方法は、
前記ネットワークデバイスが前記少なくとも１つのビームの対応するアップリンク伝送波形を再び確定し、前記再び確定された前記少なくとも１つのビームの対応するアップリンク伝送波形が前回確定された前記少なくとも１つのビームの対応するアップリンク伝送波形と異なること、及び
前記ネットワークデバイスが前記ＵＥへ第２指示メッセージを送信し、前記第２指示メッセージが前記再び確定された前記少なくとも１つのビームの対応するアップリンク伝送波形を指示することに用いられることを更に含むことを特徴とする請求項９−１２のいずれか一項に記載の方法。
【請求項１４】
前記第１指示メッセージは高レベルシグナリング又はダウンリンク制御情報ＤＣＩであることを特徴とする請求項９−１３のいずれか一項に記載の方法。
【請求項１５】
前記アップリンク伝送波形はＤＦＴ−Ｓ−ＯＦＤＭ技術で確定された波形又はＣＰ−ＯＦＤＭ技術で確定された波形を含むことを特徴とする請求項９−１４のいずれか一項に記載の方法。
【請求項１６】
ユーザ装置ＵＥであって、
第１ビームで第１アップリンク伝送波形を使用してネットワークデバイスへデータを送信するための送信モジュールと、
前記ネットワークデバイスが送信した少なくとも１つのビームの対応するアップリンク伝送波形を指示するための第１指示メッセージを受信するための受信モジュールと、を含み、
前記送信モジュールは更に、前記少なくとも１つのビームの中の第２ビームで第２アップリンク伝送波形を使用して前記ネットワークデバイスへデータを送信することに用いられ、前記第２アップリンク伝送波形が前記第１指示メッセージに指示された前記第２ビームの対応するアップリンク伝送波形であることを特徴とするユーザ装置ＵＥ。
【請求項１７】
前記少なくとも１つのビームは２つ又は２つ以上のビームを含み、前記少なくとも１つのビームの中の異なるビームの対応するアップリンク伝送波形は完全に同じではないことを特徴とする請求項１６に記載のユーザ装置。
【請求項１８】
前記第２ビームの対応するアップリンク伝送波形は、前記ネットワークデバイスが前記第２ビームの対応する伝送チャネルのチャネル品質情報又は前記ＵＥがセルでの位置情報によって確定されることを特徴とする請求項１６又は１７に記載のユーザ装置。
【請求項１９】
前記少なくとも１つのビームは前記第１ビームを含まなく、前記送信モジュールは、前記第１ビームが遮断された場合に、前記第２ビームで前記第２アップリンク伝送波形を使用して前記ネットワークデバイスへデータを送信することに用いられることを特徴とする請求項１６−１８のいずれか一項に記載のユーザ装置。
【請求項２０】
前記第１指示メッセージは更に前記少なくとも１つのビームが前記ＵＥのスタンバイビームであることを指示することに用いられることを特徴とする請求項１９に記載のユーザ装置。
【請求項２１】
前記受信モジュールは更に、前記ネットワークデバイスが送信した第２指示メッセージを受信することに用いられ、前記第２指示メッセージは前記少なくとも１つのビームの対応するアップリンク伝送波形を指示することに用いられ、前記第２指示メッセージに指示された前記少なくとも１つのビームの対応するアップリンク伝送波形は前記第１指示メッセージに指示された前記少なくとも１つのビームの対応するアップリンク伝送波形と異なり、
前記送信モジュールは更に、前記少なくとも１つのビームの中の第３ビームで第３アップリンク伝送波形を使用して前記ネットワークデバイスへデータを送信することに用いられ、前記第３アップリンク伝送波形が前記第２指示メッセージに指示された前記第３ビームの対応するアップリンク伝送波形であることを特徴とする請求項１６−２０のいずれか一項に記載のユーザ装置。
【請求項２２】
前記第１指示メッセージは高レベルシグナリング又はダウンリンク制御情報ＤＣＩであることを特徴とする請求項１９−２１のいずれか一項に記載のユーザ装置。
【請求項２３】
前記アップリンク伝送波形はＤＦＴ−Ｓ−ＯＦＤＭ技術で確定された波形又はＣＰ−ＯＦＤＭ技術で確定された波形を含むことを特徴とする請求項１９−２２のいずれか一項に記載のユーザ装置。
【請求項２４】
ネットワークデバイスであって、
ユーザ装置ＵＥが第１ビームで第１アップリンク伝送波形を利用して送信されたデータを受信するための受信モジュールと、
少なくとも１つのビームの対応するアップリンク伝送波形を確定するための確定モジュールと、
前記ＵＥへ第１指示メッセージを送信し、前記第１指示メッセージは前記少なくとも１つのビームの対応するアップリンク伝送波形を指示するための送信モジュールと、含むことを特徴とするネットワークデバイス。
【請求項２５】
前記少なくとも１つのビームは２つ又は２つ以上のビームを含み、前記少なくとも１つのビームの中の異なるビームの対応するアップリンク伝送波形は完全に同じではないことを特徴とする請求項２４に記載のネットワークデバイス。
【請求項２６】
前記確定モジュールは、前記各ビームの対応する伝送チャネルのチャネル品質情報と、前記ＵＥがセルでの位置情報のうちの少なくとも１種の情報によって、前記少なくとも１つのビームの中の各ビームのアップリンク伝送波形を確定することに用いられることを特徴とする請求項２４又は２５に記載のネットワークデバイス。
【請求項２７】
前記少なくとも１つのビームは前記第１ビームを含まなく、前記第１指示メッセージは更に前記ＵＥが前記少なくとも１つのビームをスタンバイビームとすることを指示することに用いられることを特徴とする請求項２４−２６のいずれか一項に記載のネットワークデバイス。
【請求項２８】
前記確定モジュールは更に、前記少なくとも１つのビームの対応するアップリンク伝送波形を再び確定することに用いられ、前記再び確定された前記少なくとも１つのビームの対応するアップリンク伝送波形は前回確定された前記少なくとも１つのビームの対応するアップリンク伝送波形と異なり、
前記送信モジュールは更に、前記ＵＥへ第２指示メッセージを送信することに用いられ、前記第２指示メッセージが前記再び確定された前記少なくとも１つのビームの対応するアップリンク伝送波形を指示することに用いられることを特徴とする請求項２４−２７のいずれか一項に記載のネットワークデバイス。
【請求項２９】
前記第１指示メッセージは高レベルシグナリング又はダウンリンク制御情報ＤＣＩであることを特徴とする請求項２４−２８のいずれか一項に記載のネットワークデバイス。
【請求項３０】
前記アップリンク伝送波形はＤＦＴ−Ｓ−ＯＦＤＭ技術で確定された波形又はＣＰ−ＯＦＤＭ技術で確定された波形を含むことを特徴とする請求項２４−２９のいずれか一項に記載のネットワークデバイス。
【発明の詳細な説明】
【技術分野】
【０００１】
本発明の実施例は通信分野に関し、且つより具体的には、データ伝送の方法、ユーザ装置及びネットワークデバイスに関する。
【背景技術】
【０００２】
通信技術の適用周波数帯域が増加し続けていることに伴って、ネットワークカバレッジ範囲に対するチャレンジがますます大きくなる。ビームフォーミングはアンテナアレイに基づく信号前処理技術であり、ビームフォーミングはアンテナアレイにおける各アレイ素子の重み係数を調整することによって方向性を有するビームが発生し、これにより明らかなアレイゲインを得ることができる。現在、ビームフォーミング技術は１つのキーテクノロジーとしてネットワークカバレッジ能力を改善する。
【０００３】
高い周波数帯において、基地局とユーザ装置（Ｕｓｅｒ  Ｅｑｕｉｐｍｅｎｔ、ＵＥ）との間のビーム（Ｂｅａｍ）／ビームフォーミング信号（Ｂｅａｍｆｏｒｍｅｄ  Ｓｉｇｎａｌ）は障害物によって遮断されるか又はＵＥ移動等の要素によって通信リンクが遮断（Ｂｌｏｃｋ）されやすい。上記問題に対して、複数のビーム／ビームフォーミング信号に基づいて測定するか又は伝送する手段が提出され、現在作動しているビーム／ビームフォーミング信号は遮断された時、ＵＥはスタンバイのビーム／ビームフォーミング信号で基地局に通信することができる。
【０００４】
しかし、異なるビーム／ビームフォーミング信号は異なる送信受信ノード（Ｔｒａｎｓｍｉｔ  ａｎｄ  Ｒｅｃｅｉｖｅ  Ｐｏｉｎｔ、ＴＲＰ）から由来する可能性があり、ＵＥと異なるＴＲＰとの間の距離が異なる可能性があり、且つ異なるビーム／ビームフォーミング信号の対応する伝送チャネルでの信号フェージングも異なる等の要素によって、ＵＥがこれらの異なるビーム／ビームフォーミング信号の対応する伝送経路での信号エネルギー消耗も異なる可能性があることを引き起こす。このため、ＵＥが異なるビームでデータを送信する時、異なるアップリンク伝送波形（Ｗａｖｅｆｏｒｍ）を使用する可能性があり、例えば、ＵＥは１つのビームで離散フーリエ変換スペクトラム拡散の直交周波数分割多重アクセス（Ｄｉｓｃｒｅｔｅ  Ｆｏｕｒｉｅｒ  Ｔｒａｎｓｆｏｒｍ−Ｓｐｒｅａｄ−Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＤＦＴ−Ｓ−ＯＦＤＭ）技術によって確定されたアップリンク伝送波形を使用する必要があり、ＵＥは他のビームでサイクリックプレフィックス−直交周波数分割多重アクセス（Ｃｙｃｌｉｃ  Ｐｒｅｆｉｘ−Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＣＰ−ＯＦＤＭ）によって確定されたアップリンク伝送波形を使用する必要がある。現在の技術において、まだ上記状況に対する解決手段を提出ていしない。
【発明の概要】
【課題を解決するための手段】
【０００５】
本発明の実施例はデータ伝送の方法、ユーザ装置及びネットワークデバイスを提供して、ユーザ装置は比較的適当なアップリンク伝送波形によって異なるビームでデータを伝送して、これにより良いアップリンクカバレッジ範囲とアップリンク伝送品質を得ることができる。
【０００６】
第１態様において、データ伝送の方法を提供して、前記方法は、ユーザ装置ＵＥは第１ビームで第１アップリンク伝送波形を採用してネットワークデバイスへデータを送信すること、前記ＵＥは前記ネットワークデバイスが送信した少なくとも１つのビームの対応するアップリンク伝送波形を指示するための第１指示メッセージを受信すること、及び前記ＵＥは前記少なくとも１つのビームの中の第２ビームで第２アップリンク伝送波形を使用して前記ネットワークデバイスへデータを送信し、前記第２アップリンク伝送波形が前記第１指示メッセージに指示された前記第２ビームの対応するアップリンク伝送波形であることを含む。
【０００７】
第１態様を組み合わせ、第１態様の幾つかの実現方式において、前記少なくとも１つのビームは２つ又は２つ以上のビームを含み、前記少なくとも１つのビームの中の異なるビームの対応するアップリンク伝送波形は完全に同じではない。
【０００８】
第１態様を組み合わせ、第１態様の幾つかの実現方式において、前記第２ビームの対応するアップリンク伝送波形は、前記ネットワークデバイスが前記第２ビームの対応する伝送チャネルのチャネル品質情報又は前記ＵＥがセルでの位置情報によって確定される。
【０００９】
選択可能に、幾つかの実現方式において、前記少なくとも１つのビームは２つ又は２つ以上のビームを含み、前記少なくとも１つのビームの中の異なるビームの対応するアップリンク伝送波形は同じである。
【００１０】
第１態様を組み合わせ、第１態様の幾つかの実現方式において、前記少なくとも１つのビームは前記第１ビームを含まなく、前記ＵＥは前記少なくとも１つのビームの中の第２ビームで第２アップリンク伝送波形を使用して前記ネットワークデバイスへデータを送信することは、前記第１ビームが遮断された場合には、前記ＵＥは前記第２ビームで前記第２アップリンク伝送波形を使用して前記ネットワークデバイスへデータを送信することを含む。
【００１１】
第１態様を組み合わせ、第１態様の幾つかの実現方式において、前記第１指示メッセージは更に前記少なくとも１つのビームが前記ＵＥのスタンバイビームであることを指示することに用いられる。
【００１２】
第１態様を組み合わせ、第１態様の幾つかの実現方式において、前記方法は、前記ＵＥは前記ネットワークデバイスが送信した第２指示メッセージを受信し、前記第２指示メッセージは前記少なくとも１つのビームの対応するアップリンク伝送波形を指示することに用いられ、前記第２指示メッセージに指示された前記少なくとも１つのビームの対応するアップリンク伝送波形は、前記第１指示メッセージに指示された前記少なくとも１つのビームの対応するアップリンク伝送波形と異なること、及び前記ＵＥが前記少なくとも１つのビームの中の第３ビームで第３アップリンク伝送波形を使用して前記ネットワークデバイスへデータを送信し、前記第３アップリンク伝送波形が前記第２指示メッセージに指示された前記第３ビームの対応するアップリンク伝送波形であること、を含む。
【００１３】
選択可能に、幾つかの実現方式において、前記第２指示メッセージは前記ネットワークデバイスが前記ＵＥの位置の変化する時送信されたものである。
【００１４】
第１態様を組み合わせ、第１態様の幾つかの実現方式において、前記第１指示メッセージは高レベルシグナリング又はダウンリンク制御情報ＤＣＩである。
【００１５】
第１態様を組み合わせ、第１態様の幾つかの実現方式において、前記アップリンク伝送波形は離散フーリエ変換スペクトラム拡散の直交周波数分割多重アクセスＤＦＴ−Ｓ−ＯＦＤＭ技術で変調された波形又はサイクリックプレフィックス−直交周波数分割多重アクセスＣＰ−ＯＦＤＭ技術で変調された波形を含む。
【００１６】
第２態様において、データ伝送の方法を提供し、前記方法は、ネットワークデバイスはユーザ装置ＵＥが第１ビームで第１アップリンク伝送波形を利用して送信されたデータを受信すること、前記ネットワークデバイスは少なくとも１つのビームの対応するアップリンク伝送波形を確定すること、及び前記ネットワークデバイスが前記ＵＥへ第１指示メッセージを送信し、前記第１指示メッセージは前記少なくとも１つのビームの対応するアップリンク伝送波形を指示することに用いられることを含む。
【００１７】
第２態様を組み合わせて、第２態様の幾つかの実現方式において、前記少なくとも１つのビームは２つ又は２つ以上のビームを含み、前記少なくとも１つのビームの中の異なるビームの対応するアップリンク伝送波形は完全に同じではない。
【００１８】
選択可能に、幾つかの実現方式において、前記少なくとも１つのビームは２つ又は２つ以上のビームを含み、前記少なくとも１つのビームの中の異なるビームの対応するアップリンク伝送波形は同じである。
【００１９】
第２態様を組み合わせて、第２態様の幾つかの実現方式において、前記ネットワークデバイスは少なくとも１つのビームの対応するアップリンク伝送波形を確定することは、前記ネットワークデバイスが前記各ビームの対応する伝送チャネルのチャネル品質情報と、前記ＵＥがセルでの位置情報のうちの少なくとも１種の情報によって、前記少なくとも１つのビームの中の各ビームのアップリンク伝送波形を確定することを含む。
【００２０】
第２態様を組み合わせて、第２態様の幾つかの実現方式において、前記少なくとも１つのビームは前記第１ビームを含まなく、前記第１指示メッセージは更に前記ＵＥが前記少なくとも１つのビームをスタンバイビームとするように指示することに用いられる。
【００２１】
選択可能に、幾つかの実現方式において、前記第１指示メッセージは前記少なくとも１つのビームを前記ＵＥのアクティブビームとすることを指示することに用いられても良い。具体的には、アクティブビームとはＵＥが現在時刻で前記ネットワークデバイスに通信するビームである。
【００２２】
第２態様を組み合わせて、第２態様の幾つかの実現方式において、前記方法は、前記ネットワークデバイスが前記少なくとも１つのビームの対応するアップリンク伝送波形を再び確定し、前記再び確定された前記少なくとも１つのビームの対応するアップリンク伝送波形が前回確定された前記少なくとも１つのビームの対応するアップリンク伝送波形と異なること、及び前記ネットワークデバイスが前記ＵＥへ第２指示メッセージを送信し、前記第２指示メッセージが前記再び確定された前記少なくとも１つのビームの対応するアップリンク伝送波形を指示することに用いられることを更に含む。
【００２３】
選択可能に、一つの実現方式として、前記ネットワークデバイスが前記少なくとも１つのビームの対応するアップリンク伝送波形を再び確定することは、
前記ＵＥの位置に変化が発生する時、前記ネットワークデバイスが前記少なくとも１つのビームの対応するアップリンク伝送波形を再び確定することを含む。選択可能に、ネットワークデバイスは前記各ビームの対応する受送信ノードＴＲＰと前記ＵＥとの間の距離、前記各ビームの対応する伝送チャネルの信号フェージング、前記ＵＥがセルでの位置のうちの少なくとも１種の情報によって、前記少なくとも１つのビームの中の各ビームのアップリンク伝送波形を再び確定する。
【００２４】
第２態様を組み合わせて、第２態様の幾つかの実現方式において、前記第１指示メッセージは高レベルシグナリング又はダウンリンク制御情報ＤＣＩである。
【００２５】
選択可能に、ある実現方式において、前記第１指示メッセージが高レベルシグナリングであり、前記第２指示メッセージがＤＣＩである。
【００２６】
第２態様を組み合わせて、第２態様の幾つかの実現方式において、前記アップリンク伝送波形はＤＦＴ−Ｓ−ＯＦＤＭ技術で変調された波形又はＣＰ−ＯＦＤＭ技術で変調された波形を含む。
【００２７】
選択可能に、上記幾つかの実現方式において、前記ＤＦＴ−Ｓ−ＯＦＤＭ技術はシングルキャリア周波数分割多重アクセス（Ｓｉｎｇｌｅ−ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ、ＳＣ−ＦＤＭＡ）技術であってもよい。
【００２８】
選択可能に、上記幾つかの実現方式において、前記高レベルシグナリングは例えば無線リソース制御（Ｒａｄｉｏ  Ｒｅｓｏｕｒｃｅ  Ｃｏｎｔｒｏｌ、ＲＲＣ）シグナリングである。
【００２９】
選択可能に、上記各実現形態において、前記ビームはビームフォーミング信号（Ｂｅａｍｆｏｒｍｅｄ  Ｓｉｇｎａｌ）とも呼ばれてもよい。
【００３０】
第３態様において、ユーザ装置を提供し、該ユーザ装置は第１態様又は第１態様の任意１種の可能な実現方式の中の方法を実行することに用いられる。具体的には、該ユーザ装置は第１態様又は第１態様の任意１種の可能な実現方式の中の方法を実行するためのモジュールを含んでもよい。
【００３１】
第四態様において、ネットワークデバイスを提供して、該ネットワークデバイスは第２態様又は第２態様の任意１種の可能な実現方式の中の方法を実行することに用いられる。具体的には、該ネットワークデバイスは第２態様又は第２態様の任意１種の可能な実現方式の中の方法を実行するためのモジュールを含んでもよい。
【００３２】
第５態様において、ユーザ装置を提供し、該ユーザ装置はメモリとプロセッサーを含み、該メモリは命令を記憶することに用いられ、該プロセッサーは該メモリに記憶される命令を実行することに用いられ、且つ該メモリに記憶される命令に対する実行によって該プロセッサーは第１態様又は第１態様の任意１種の可能な実現方式の中の方法を実行する。
【００３３】
第６態様において、ネットワークデバイスを提供し、該ネットワークデバイスはメモリとプロセッサーを含み、該メモリは命令を記憶することに用いられ、該プロセッサーは該メモリに記憶される命令を実行することに用いられ、且つ該メモリに記憶される命令に対する実行によって該プロセッサーは第２態様又は第２態様の任意１種の可能な実現方式の中の方法を実行する。
【００３４】
第７態様において、コンピュータ可読媒体を提供し、コンピュータプログラムを記憶することに用いられ、該コンピュータプログラムは第１態様又は第１態様の任意の可能な実現方式の中の方法を実行するための命令を含む。
【００３５】
第８態様において、コンピュータ可読媒体を提供し、コンピュータプログラムを記憶することに用いられ、該コンピュータプログラムは第２態様又は第２態様の任意１種の可能な実現方式の中の方法を実行するためのを含む。
【００３６】
このため、本発明の実施例において、ネットワークデバイスによってユーザ装置へ指示メッセージを送信することによって、異なるビームで対応するアップリンク伝送波形を使用してデータを送信することをユーザ装置に告知し、これによりユーザ装置は比較的適当なアップリンク伝送波形によって異なるビームでデータを伝送することができ、これによって良いアップリンクカバレッジ範囲とアップリンク伝送品質を得ることができ、アップリンク伝送の性能を提供する。
【図面の簡単な説明】
【００３７】
本発明の実施例の技術的解決手段をより明確的に説明するために、以下、本発明の実施例に使用する必要がある図面を簡単に説明し、明らかに、以下で説明する図面はただ本発明のある実施例だけであり、当業者にとって、創造的な労力を払わない前提で、更にこれらの図面に基づいてその他の図面を取得することができる。
【００３８】
【図１】図１は本発明の実施例によるデータ伝送の方法の概略フロー図である。
【図２】図２は本発明の実施例によるユーザ装置の概略ブロック図である。
【図３】図３は本発明の実施例によるユーザ装置の他の概略ブロック図である。
【図４】図４は本発明の実施例によるネットワークデバイスの概略ブロック図である。
【図５】図５は本発明の実施例によるネットワークデバイスの他の概略ブロック図である。
【発明を実施するための形態】
【００３９】
以下、本発明の実施例における図面を参照して、本発明の実施例における技術的解決手段を明確且つ完全に説明し、明らかに、説明された実施例は全部の実施例ではなく、本発明の一部の実施例だけである。本発明における実施例に基づいて、当業者にとって、創造的な労働を行わない前提で得られたすべての他の実施例は、いずれも本発明が保護する範囲に属する。
【００４０】
本発明の実施例の技術的手段は各種の通信システム、例えば、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、コード分割多重アクセス（Ｃｏｄｅ  Ｄｉｖｉｓｉｏｎ  Ｍｕｌｔｉｐｌｅ  Ａｃｃｅｓｓ、ＣＤＭＡ）システム、広帯域コード分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、長期的な進化（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）、ユニバーサル移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、マイクロ波利用アクセスに関する世界的な相互運用（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システム、将来の５Ｇシステム又は新ラジオ技術（Ｎｅｗ  Ｒａｄｉｏ  Ｔｅｃｈｎｏｌｏｇｙ、ＮＲ）システム等に利用されることができる。
【００４１】
本発明の実施例の技術的手段にはユーザ装置（Ｕｓｅｒ  Ｅｑｕｉｐｍｅｎｔ、ＵＥ）に関する。ユーザ装置は更に端末、アクセス端末、ユーザーユニット、ユーザー局、移動局、移動台、遠隔局、遠隔端末、モバイルデバイス、ユーザー端末、端末装置、無線通信装置、ユーザーエージェント又はユーザー装置と呼ばれてもよい。例えば、該ユーザ装置は携帯電話（又は「ハニカム」電話と呼ばれる）、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）局、パーソナルデジタル処理（Ｐｅｒｓｏｎａｌ  Ｄｉｇｉｔａｌ  Ａｓｓｉｓｔａｎｔ、ＰＤＡ）、無線通信機能を有するハンドヘルドデバイス、コンピューティングデバイス又は無線モデムに接続された他の処理デバイス、車載デバイス、ウェアラブルデバイス、未来５Ｇネットワーク又は５Ｇの後のネットワークにおける端末等であってもよく、本発明の実施例はこれを限定しない。ユーザ装置は無線アクセス网（Ｒａｄｉｏ  Ａｃｃｅｓｓ  Ｎｅｔｗｏｒｋ、ＲＡＮ）を介して１つ又は複数のコアネットワークと通信してもよいし、又は自己組織化やライセンスフリーの方法で分散型ポイントツーポイント（Ａｄ−Ｈｏｃ）モードネットワーク及びユーザーより設定したサブネットワークがアクセスされて、ユーザ装置は更に他の方法でネットワークにアクセスして通信することができ、本発明の実施例はこれを限定しない。
【００４２】
本発明の実施例の技術的手段には更にネットワークデバイスに関する。ネットワークデバイスはユーザ装置に通信するためのネットワーク側デバイスであっても良い。具体的には、該ネットワークデバイスはセル内の移動又は固定の端末に無線アクセス、通信サービスを提供するためのネットワークデバイスであってもよい。例えば、該ネットワークデバイスはＧＳＭシステム又はＣＤＭＡシステムにおける基地局（Ｂａｓｅ  Ｔｒａｎｓｃｅｉｖｅｒ  Ｓｔａｔｉｏｎ、ＢＴＳ）であってもよいし、ＷＣＤＭＡシステムにおける基地局（ＮｏｄｅＢ、ＮＢ）であってもよいし、ＬＴＥシステムにおける進化的基地局（Ｅｖｏｌｕｔｉｏｎａｌ  Ｎｏｄｅ  Ｂ、ｅＮＢ又はｅＮｏｄｅＢ）であってもよい。又は該ネットワークデバイスは更に中継局、アクセスポイント、車載デバイス、ウェアラブルデバイスであってもよい。該ネットワークデバイスは未来５Ｇネットワーク又は５Ｇの後のネットワークにおけるネットワーク側デバイス、未来進化のＰＬＭＮネットワークにおけるネットワーク側デバイス、又はＮＲネットワークにおけるネットワーク側デバイス等であってもよい。
【００４３】
図１は本発明の実施例によるデータ伝送の方法１００の概略フロー図であり、該方法１００は、以下のステップ１１０〜１４０を含む。
【００４４】
１１０、ユーザ装置ＵＥは第１ビームで第１アップリンク伝送波形を使用してネットワークデバイスへデータを送信する。
【００４５】
該第１ビームは該ＵＥのアクティブビームとよばれてもよく、アクティブビームとはＵＥが現在ネットワークデバイスと通信することに利用されるビームである。
【００４６】
該第１アップリンク伝送ビームは該ＵＥで設定されるデフォルト／スタンバイ（ｄｅｆａｕｌｔ／ｆａｌｌｂａｃｋ）のアップリンク伝送波形であってもよい。例えば、該第１アップリンク伝送ビームはＤＦＴ−Ｓ−ＯＦＤＭ技術で確定された波形又はＣＰ−ＯＦＤＭ技術で確定された波形であってもよい。システムの関連設定情報が受信されていない時、ＵＥはデフォルト／スタンバイのアップリンク伝送波形でアップリンク伝送を行う。
【００４７】
選択可能に、該デフォルト／スタンバイのアップリンク伝送波形はＵＥ自分で設定されたものであってもよいし、又は該デフォルト／スタンバイのアップリンク伝送波形はプロトコルで規定されたものであってもよいし、又は該デフォルト／スタンバイのアップリンク伝送波形はＵＥがネットワーク側デバイス（例えば該ネットワークデバイス）のブロードキャスト情報又はシステム情報によって設定されたものであってもよい。
【００４８】
例えば、上記ＤＦＴ−Ｓ−ＯＦＤＭ技術はシングルキャリア周波数分割多重アクセス（Ｓｉｎｇｌｅ−ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ、ＳＣ−ＦＤＭＡ）技術であってもよい。
【００４９】
１２０、ネットワークデバイスは少なくとも１つのビームの対応するアップリンク伝送波形を確定する。
【００５０】
具体的には、本実施例において、該少なくとも１つのビームは該ＵＥが該ネットワークデバイスに通信するためのビームである。
【００５１】
選択可能に、該少なくとも１つのビームは１つのビーム、又は複数のビーム、又は１つのビーム組、又は複数のビーム組であってもよい。ビーム組とは複数のビームの組合ビームである。該少なくとも１つのビームは更に１つのビームの対応する１つのフォーミング信号、又は複数のビームの対応する複数のフォーミング信号、又は１つのビーム組の対応する１つのフォーミング信号組、又は複数のビーム組の対応する複数のフォーミング信号組であってもよい。上記のフォーミング信号とは対応するビームがフォーミングされた後形成されたフォーミング信号を指し、フォーミング信号組とは、対応するビーム組をフォーミングした後形成されたフォーミング信号組であることを理解することができる。
【００５２】
選択可能に、本実施例において、ネットワークデバイスは少なくとも１つのビームの対応するアップリンク伝送波形を確定することは、ネットワークデバイスが各ビームの対応する伝送チャネルのチャネル品質情報と、該ＵＥがセルでの位置情報のうちの少なくとも１種の情報によって、少なくとも１つのビームの中の各ビームのアップリンク伝送波形を確定することを含む。
【００５３】
具体的には、あるビームの対応する伝送チャネルのチャネル品質情報は例えば該あるビームの対応する伝送チャネルの信号フェージング情報である。
【００５４】
具体的には、該少なくとも１つのビームの中のビームＡを例として、ネットワークデバイスはＵＥで報告された測定情報によって、ビームＡの対応する伝送チャネルのチャネル品質情報、又は該ＵＥがセルでの位置情報を取得する。又は、ネットワークデバイスも経験情報によって、ビームＡの対応する伝送チャネルのチャネル品質情報、又は該ＵＥがセルでの位置情報を取得する。
【００５５】
例えば、仮に該少なくとも１つのビームはビームＡとビームＢを含み、且つビームＡの対応するＴＲＰが該ＵＥとの距離はビームＢの対応するＴＲＰと該ＵＥとの距離よりもはるかに小さいと、ビームＡの対応するアップリンク伝送波形はビームＢの対応するアップリンク伝送波形と異なり、例えば、ビームＡの対応するアップリンク伝送波形はＤＦＴ−Ｓ−ＯＦＤＭ技術で確定された波形であり、ビームＢの対応するアップリンク伝送波形はＣＰ−ＯＦＤＭ技術で確定された波形である。
【００５６】
更に例えば、仮に該少なくとも１つのビームはビームＣとビームＤを含み、且つビームＣの対応する伝送チャネルの信号フェージングがビームＢの対応する伝送チャネルの信号フェージングよりも厳しいと、ビームＣの対応するアップリンク伝送波形はビームＤの対応するアップリンク伝送波形と異なり、例えば、ビームＣの対応するアップリンク伝送波形はＤＦＴ−Ｓ−ＯＦＤＭ技術で確定された波形であるが、ビームＤの対応するアップリンク伝送波形はＣＰ−ＯＦＤＭ技術で確定された波形である。
【００５７】
１３０、ネットワークデバイスはＵＥへ少なくとも１つのビームの対応するアップリンク伝送波形を指示するための第１指示メッセージを送信する。
【００５８】
選択可能に、該第１指示メッセージは高レベルシグナリング（Ｈｉｇｈ  Ｌｅｖｅｌ  Ｓｉｇｎａｌｌｉｎｇ）であってもよく、具体的には、例えば、該第１指示メッセージは無線リソース制御（Ｒａｄｉｏ  Ｒｅｓｏｕｒｃｅ  Ｃｏｎｔｒｏｌ、ＲＲＣ）シグナリングであってもよい。
【００５９】
選択可能に、該第１指示メッセージはダウンリンク制御情報（Ｄｏｗｎｌｉｎｋ  Ｃｏｎｔｒｏｌ  Ｉｎｆｏｒｍａｔｉｏｎ、ＤＣＩ）であってもよい。
【００６０】
１４０、ＵＥは少なくとも１つのビームの中の第２ビームで第２アップリンク伝送波形を使用してネットワークデバイスへデータを送信し、第２アップリンク伝送波形は第１指示メッセージに指示された第２ビームの対応するアップリンク伝送波形である。
【００６１】
このため、本発明の実施例において、ネットワークデバイスによってＵＥへ指示メッセージを送信して、ＵＥに異なるビームで対応するアップリンク伝送波形を利用してデータを送信することを通知し、これによりＵＥは比較的適当なアップリンク伝送波形によって異なるビームでデータを伝送することができ、これにより良いアップリンクカバレッジ範囲とアップリンク伝送品質を得ることができ、アップリンク伝送の性能を提供する。
【００６２】
理解すべきは、本発明の実施例におけるビームはビームフォーミング信号（Ｂｅａｍｆｏｒｍｅｄ  Ｓｉｇｎａｌ）とも呼ばれてもよく、以下、すべてビームを例として説明する。
【００６３】
選択可能に、一つの実現方式として、該少なくとも１つのビームは該第１ビームを含んでもよい。
【００６４】
例えば、ネットワークデバイスは第１ビームの対応する伝送チャネルのチャネル品質に変化が発生することを検出し、第１ビームでのアップリンク伝送波形を改変する必要がある場合、ネットワークデバイスは指示メッセージを送信して、該ＵＥに該第１ビームでのアップリンク伝送波形を改変することを通知してもよい。該ＵＥはネットワークデバイスの指示メッセージを受信した後、続いて第１ビームでネットワークデバイスと通信し、ただアップリンク伝送波形を改変する。
【００６５】
選択可能に、一つの実現方式として、該少なくとも１つのビームは該第１ビームを含まなくても良く、該少なくとも１つのビームを該ＵＥのスタンバイビーム又はアクティブビームとしてもよい。
【００６６】
選択可能に、ある実施例において、該少なくとも１つのビームは該第１ビームを含まなくても良く、前記第１指示メッセージは更に前記少なくとも１つのビームを前記ＵＥのスタンバイビームとすることを指示する。１４０、ＵＥは少なくとも１つのビームの中の第２ビームで第２アップリンク伝送波形を使用してネットワークデバイスへデータを送信することは、第１ビームが遮断された場合に、ＵＥは第２ビームで第２アップリンク伝送波形を使用してネットワークデバイスへデータを送信することを含む。
【００６７】
例えば、ＵＥとネットワークデバイスは１つのビーム（アクティブビームと表記する）で通信している。同時に、ネットワークデバイスはＵＥが他のＭ個のビームを測定するように設定し、ＵＥはＮ個のビームのチャネル品質（Ｎ＜＝Ｍ）をフィードバックし、ネットワークデバイスはＵＥのフィードバック及び他の要素をまとめて考えて、又はネットワークデバイスはＵＥの幾つかのアップリンク信号／チャネルに対する測定及他の要素をまとめて考えて、又はネットワークデバイスはＵＥのフィードバック、ネットワークのＵＥの幾つかのアップリンク信号／チャネルに対する測定及び他の要素をまとめて考えて、Ｌ個のビーム（Ｌ＜＝Ｎ）をスタンバイビームとし、ＵＥにあるビーム（上記Ｌ個の中の１つ）で伝送する時使用したアップリンク伝送波形を通知する。後のある時刻には、もとのビームがある原因で遮断され、この際にＵＥは幾つかの基準によってあるスタンバイのビームでランダムアクセスを起動し、ＵＥのアップリンク伝送波形は上記ＵＥの通知された波形を使用する。
【００６８】
選択可能に、幾つかの実施例において、該少なくとも１つのビームは該第１ビームを含まなくても良く、前記第１指示メッセージは更に前記少なくとも１つのビームを前記ＵＥのアクティブビームとすることを指示することに用いられ、１４０、ＵＥは少なくとも１つのビームの中の第２ビームで第２アップリンク伝送波形を使用してネットワークデバイスへデータを送信することは、該ＵＥが同時に該第１ビームで第１アップリンク伝送波形を利用してネットワークデバイスへデータを送信し、且つ該少なくとも１つのビームの中の第２ビームで第２アップリンク伝送波形を使用してネットワークデバイスへデータを送信することを含む。
【００６９】
例えば、ＵＥとネットワークデバイスは１つのビーム（アクティブビーム１と表記される）で通信（アップリンク伝送ビームがＣＰ−ＯＦＤＭを使用する）している。同時に、ネットワークデバイスはＵＥが他のＭ個のビームを測定するように設定し、ＵＥはＮ個のビームのチャネル品質（Ｎ＜＝Ｍ）をフィードバックし、ネットワークデバイスはＵＥのフィードバック及び他の要素をまとめて考えて、Ｌ個のビーム（Ｌ＜＝Ｎ）もアクティブビームとし、ＵＥも同時にこれらの波速で伝送する。仮にＬ＝１とし、対応するビームをアクティブ波速２と標記する。ＵＥは同時に２つビームでアップリンク伝送を行う必要があるので、エネルギーを異なるビームに割り当てる必要があり、仮にもとのアクティブビーム１でＵＥエネルギーが十分であり、依然としてＣＰ−ＯＦＤＭのアップリンク伝送ビームを使用し、ＵＥの残ったパワーが有限であり、ネットワークデバイスはＵＥが２番目のアクティブビーム２でＤＦＴ−Ｓ−ＯＦＤＭのアップリンク伝送波形を利用し伝送データことがより適当であると考えると、ネットワークデバイスは該アクティブビーム２を設定する時、ＵＥにＤＦＴ−Ｓ−ＯＦＤＭを使用してアップリンク伝送波形とすることを通知する。
【００７０】
理解、記述の便利のために、以上の図１を組み合わせて説明した実施例において、１つのＵＥを例として説明した。実際の応用において、ネットワークデバイスは１つのユーザ装置組（複数のユーザ装置の集合を含む）と通信することができ、又は更に複数のユーザ装置又は複数のユーザ装置組と通信することができ、このため、ネットワークデバイスはビームの対応するアップリンク伝送波形を設定する時、各ユーザ装置又は各組のユーザ装置に対して独立的に該各ユーザ装置又は該各組のユーザ装置の対応する少なくとも１つのビームのアップリンク伝送波形を設定することができる。相応的に、ネットワークデバイスは少なくとも１つのビームの対応するアップリンク伝送波形を指示するための指示メッセージ（例えば図１に示す第１指示メッセージ）を送信し、各ユーザ装置又は各組のユーザ装置に対して独立的に設定して指示してもよく、即ちＵＥ−ｓｐｅｃｉｆｉｃである。
【００７１】
選択可能に、本発明の実施例によるアップリンク伝送波形はＤＦＴ−Ｓ−ＯＦＤＭ技術で確定された波形又はＣＰ−ＯＦＤＭ技術で確定された波形を含む。
【００７２】
選択可能に、幾つかの実施例において、該少なくとも１つのビームは２つ又は２つ以上のビームを含み、１２０、ネットワークデバイスは少なくとも１つのビームの対応するアップリンク伝送波形を確定することは、ネットワークデバイスが該少なくとも１つのビームに対して設定したアップリンク伝送波形は以下のオプションにおける１種又は多種又は全部をサポートすることができることを含む。
【００７３】
オプション１、異なるビームの対応するアップリンクチャネルのために統一のアップリンク伝送波形を設定する。
【００７４】
例えば、異なるビームの対応するアップリンクチャネルは、物理アップリンクシェアードチャネル（Ｐｈｙｓｉｃａｌ  Ｕｐｌｉｎｋ  Ｓｈａｒｅｄ  Ｃｈａｎｎｅｌ、ＰＵＳＣＨ）と物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）を含む。以下、異なるビームの対応するアップリンクチャネルがＰＵＳＣＨとＰＵＣＣＨを含むことを例として説明する。
【００７５】
選択可能に、本実施例において、ＰＵＳＣＨとＰＵＣＣＨに同じアップリンク伝送波形ＤＦＴ−Ｓ−ＯＦＤＭを設定する。
【００７６】
選択可能に、本実施例において、ＰＵＳＣＨとＰＵＣＣＨに同じアップリンク伝送波形ＣＰ−ＯＦＤＭを設定する。
【００７７】
オプション２、異なるビームの対応するアップリンクチャネル（例えばＰＵＳＣＨとＰＵＣＣＨ）に、それぞれ各々のアップリンク伝送波形を設定する。
【００７８】
選択可能に、本実施例において、ＰＵＳＣＨにアップリンク伝送波形ＣＰ−ＯＦＤＭを設定し、ＰＵＣＣＨにアップリンク伝送波形ＣＰ−ＯＦＤＭを設定する。
【００７９】
選択可能に、本実施例において、ＰＵＳＣＨにアップリンク伝送波形ＤＦＴ−Ｓ−ＯＦＤＭを設定し、ＰＵＣＣＨにアップリンク伝送波形ＤＦＴ−Ｓ−ＯＦＤＭを設定する。
【００８０】
選択可能に、本実施例において、ＰＵＳＣＨにアップリンク伝送波形ＣＰ−ＯＦＤＭを設定し、ＰＵＣＣＨにアップリンク伝送波形ＤＦＴ−Ｓ−ＯＦＤＭを設定する。
【００８１】
選択可能に、本実施例において、ＰＵＳＣＨにアップリンク伝送波形ＤＦＴ−Ｓ−ＯＦＤＭを設定し、ＰＵＣＣＨにアップリンク伝送波形ＣＰ−ＯＦＤＭを設定する。
【００８２】
オプション３、異なるビームの対応するアップリンクチャネル又は異なるチャネルフォーマット（ｆｏｒｍａｔ）のアップリンクチャネルにそれぞれのアップリンク伝送波形を独立的に設定する。例えば、異なるビームの対応するアップリンクチャネルはＰＵＳＣＨとＰＵＣＣＨを含み、ＰＵＣＣＨは異なるチャネルフォーマット（ｆｏｒｍａｔ）によって更に異なるチャネルに区別されることができる。
【００８３】
具体的には、ＰＵＣＣＨはそのチャネルフォーマット（ｆｏｒｍａｔ）タイプによって２組に分けられ、それぞれＰＵＣＣＨ＿Ｇｒｏｕｐ＿１とＰＵＣＣＨ＿ＧＲＯＵＰ＿２に標記されると、ネットワークデバイスはＰＵＣＣＨ＿Ｇｒｏｕｐ１とＰＵＳＣＨにそれぞれアップリンク伝送波形を独立的に設定してよく、且つその対応するアップリンク伝送波形がＤＦＴ−Ｓ−ＯＦＤＭ又はＣＰ−ＯＦＤＭであることを指示し、ＰＵＣＣＨ＿Ｇｒｏｕｐ２に設定されたアップリンク伝送波形はＰＵＳＣＨに設定されたアップリンク伝送波形と一致する。
【００８４】
具体的には、ＰＵＣＣＨはそのチャネルフォーマット（ｆｏｒｍａｔ）タイプによってＮ組に分けられ、それぞれＰＵＣＣＨ＿Ｇｒｏｕｐ＿１、…、ＰＵＣＣＨ＿ＧＲＯＵＰ＿Ｎと表記されると、ネットワークデバイスはＰＵＣＣＨ＿Ｇｒｏｕｐ１、  …、ＰＵＣＣＨ＿Ｇｒｏｕｐ  Ｎ及びＰＵＳＣＨにそれぞれアップリンク伝送波形を独立的に設定し、且つその対応するアップリンク伝送波形がＤＦＴ−Ｓ−ＯＦＤＭ又はＣＰ−ＯＦＤＭを使用することを指示することができる。
【００８５】
選択可能に、幾つかの実施例において、１つ又は幾つかのチャネルフォーマットのチャネルのアップリンク伝送波形はあるアップリンク伝送波形に設定される時（例えばＳＣ−ＦＤＭＡ）、他のチャネルのものもある波形に設定されるしかできない。
【００８６】
具体的には、例えば、ＰＵＳＣＨはＤＦＴ−Ｓ−ＯＦＤＭを使用してアップリンク伝送波形とするように設定される時、ＰＵＣＣＨ又はＰＵＣＣＨ組（上文のＰＵＣＣＨ＿Ｇｒｏｕｐ＿ｉ（ｉが１、…、Ｎである）に対応する）は、ＤＦＴ−Ｓ−ＯＦＤＭを使用してアップリンク伝送波形とするように設定されるしかできない。
【００８７】
理解すべきは、ＰＵＳＣＨはＣＰ−ＯＦＤＭを利用してアップリンク伝送波形とするように設定される時、ＰＵＣＣＨ又はＰＵＣＣＨ組はＤＦＴ−Ｓ−ＯＦＤＭ又はＣＰ−ＯＦＤＭを選択してアップリンク伝送波形とするように設定されてもよい。
【００８８】
選択可能に、幾つかの実施例において、方法１００は、ネットワークデバイスが該少なくとも１つのビームの対応するアップリンク伝送波形を再び確定し、再び確定された該少なくとも１つのビームの対応するアップリンク伝送波形が前回（ステップ１２０）で確定された該少なくとも１つのビームの対応するアップリンク伝送波形と異なること、ネットワークデバイスがＵＥへ再び確定された少なくとも１つのビームの対応するアップリンク伝送波形を指示するための第２指示メッセージを送信すること、及びＵＥは該少なくとも１つのビームの中の第３ビームで第３アップリンク伝送波形を使用してネットワークデバイスへデータを送信し、第３アップリンク伝送波形が第２指示メッセージに指示された第３ビームの対応するアップリンク伝送波形であることを更に含む。
【００８９】
選択可能に、本実施例において、ネットワークデバイスは少なくとも１つのビームの対応するアップリンク伝送波形を再び確定することは、ＵＥの位置に変化が発生する時、ネットワークデバイスは少なくとも１つのビームの対応するアップリンク伝送波形を再び確定する。選択可能に、ネットワークデバイスは各ビームの対応する受送信ノードＴＲＰとＵＥとの間の距離、各ビームの対応する伝送チャネルの信号フェージング、ＵＥがネットワークデバイスのカバレッジセルにおける位置のうちの少なくとも１種の情報によって、少なくとも１つのビームの中の各ビームのアップリンク伝送波形を再び確定する。
【００９０】
具体的には、第２指示メッセージはＤＣＩであっても良い。該第２指示メッセージは異なるユーザ装置又は異なる組のユーザ装置に独立的に設定されてもよく、且つ独立的に通知される。
【００９１】
本実施例において、第１指示メッセージに指示された該少なくとも１つのビームのアップリンク伝送波形の設定情報は、該第２指示メッセージ（例えばＤＣＩ）に指示された設定情報でリセットされる。
【００９２】
例えば、ネットワークデバイスは始めに高レベルシグナリングによって対応するあるビーム／ビーム組があるアップリンク伝送波形を使用するようにあるユーザ装置又はある組のユーザ装置に指示し、最後にＤＣＩシグナリングによって対応するこのビーム／ビーム組が他種のアップリンク伝送波形を使用するようにこのユーザ装置又はこの組のユーザ装置に指示し、指示されたユーザ装置又はある組のユーザ装置はＤＣＩの最後に指示されたアップリンク伝送波形を使用する。
【００９３】
選択可能に、本実施例において、ネットワークデバイスは該少なくとも１つのビームに対して、再び設定されたアップリンク伝送波形は、上記オプション１〜オプション３の中の任意の１種又は多種又は全部をサポートすることができる。
【００９４】
選択可能に、幾つかの実施例において、第１指示メッセージはダウンリンク制御情報ＤＣＩであってもよい。
【００９５】
以上を纏め、本発明の実施例による技術的手段は、ネットワークデバイスがＵＥへ指示メッセージを送信することによって、ＵＥに異なるビームで対応するアップリンク伝送波形を使用してデータを送信することを通知し、これによってＵＥは比較的適当なアップリンク伝送波形によって異なるビームでデータを伝送することができ、これにより良いアップリンクカバレッジ範囲とアップリンク伝送品質を得ることができ、アップリンク伝送の性能を提供する。
【００９６】
上文には図１を組み合わせて本発明の実施例によるデータ伝送の方法を説明した。以下、図２−図５を参照して、本発明の実施例によるユーザ装置とネットワークデバイスを説明する。
【００９７】
図２は本発明の実施例によるユーザ装置２００の概略ブロック図を示し、該ユーザ装置２００は、送信モジュール２１０と受信モジュール２２０を含む。  
送信モジュール２１０は、第１ビームで第１アップリンク伝送波形を使用してネットワークデバイスへデータを送信することに用いられる。
【００９８】
受信モジュール２２０は、ネットワークデバイスが送信した少なくとも１つのビームの対応するアップリンク伝送波形を指示するための第１指示メッセージを受信することに用いられる。
【００９９】
送信モジュール２１０は更に、少なくとも１つのビームの中の第２ビームで第２アップリンク伝送波形を使用してネットワークデバイスへデータを送信することに用いられ、第２アップリンク伝送波形は第１指示メッセージに指示された第２ビームの対応するアップリンク伝送波形である。
【０１００】
本発明の実施例において、ネットワークデバイスがＵＥへ指示メッセージを送信することによって、ＵＥに異なるビームで対応するアップリンク伝送波形を使用してデータを送信するように通知し、これによってＵＥは比較的適当なアップリンク伝送波形によって異なるビームでデータを伝送することができ、これによって良いアップリンクカバレッジ範囲とアップリンク伝送品質を得ることができ、アップリンク伝送の性能を提供する。
【０１０１】
選択可能に、１つの実施例として、該少なくとも１つのビームは２つ又は２つ以上のビームを含み、少なくとも１つのビームの中の異なるビームの対応するアップリンク伝送波形は完全に同じではない。
【０１０２】
選択可能に、１つの実施例として、該第２ビームの対応するアップリンク伝送波形は、ネットワークデバイスが第２ビームの対応する伝送チャネルのチャネル品質情報又は該ＵＥがセルでの位置情報によって確定されたものである。
【０１０３】
選択可能に、１つの実施例として、該少なくとも１つのビームが第１ビームを含まなく、送信モジュールは、第１ビームが遮断された場合に、第２ビームで第２アップリンク伝送波形を使用してネットワークデバイスへデータを送信することに用いられる。
【０１０４】
選択可能に、１つの実施例として、該第１指示メッセージは更に少なくとも１つのビームがＵＥのスタンバイビームであることを指示することに用いられる。
【０１０５】
選択可能に、１つの実施例として、該受信モジュール２２０は更に、ネットワークデバイスが送信した少なくとも１つのビームの対応するアップリンク伝送波形を指示するための第２指示メッセージを受信することに用いられ、第２指示メッセージに指示された少なくとも１つのビームの対応するアップリンク伝送波形は、第１指示メッセージに指示された少なくとも１つのビームの対応するアップリンク伝送波形と異なり、送信モジュールは更に、少なくとも１つのビームの中の第３ビームで第２指示メッセージに指示された第３ビームの対応するアップリンク伝送波形である第３アップリンク伝送波形を使用してネットワークデバイスへデータを送信することに用いられる。
【０１０６】
選択可能に、１つの実施例として、該第１指示メッセージは高レベルシグナリング又はダウンリンク制御情報ＤＣＩである。
【０１０７】
選択可能に、１つの実施例として、該アップリンク伝送波形はＤＦＴ−Ｓ−ＯＦＤＭ技術で確定された波形又はＣＰ−ＯＦＤＭ技術で確定された波形を含む。
【０１０８】
具体的には、本発明の実施例における送信モジュール２１０は送信機又は送信機の関連回路によって実現することができ、受信モジュール２２０は受信機又は受信機の関連回路で実現することができる。
【０１０９】
図３に示すように、本発明の実施例はユーザ装置３００を更に提供し、該ユーザ装置３００はプロセッサー３１０、メモリ３２０、バスシステム３３０、受信機３４０及び送信機３５０を含む。プロセッサー３１０、メモリ３２０、受信機３４０及び送信機３５０はバスシステム３３０によって接続され、該メモリ３２０は命令を記憶することに用いられ、該プロセッサー３１０は該メモリ３２０に記憶される命令を実行することに用いられ、これにより受信機３４０が信号を受信するように制御し、且つ送信機３５０が信号を送信するように制御する。送信機３５０は、第１ビームで第１アップリンク伝送波形を利用してネットワークデバイスへデータを送信することに用いられ、受信機３４０は、ネットワークデバイスが送信した第１指示メッセージを受信することに用いられ、第１指示メッセージは少なくとも１つのビームの対応するアップリンク伝送波形を指示することに用いられ、送信機３５０は、少なくとも１つのビームの中の第２ビームで第２アップリンク伝送波形を使用してネットワークデバイスへデータを送信することに用いられ、第２アップリンク伝送波形は第１指示メッセージに指示された第２ビームの対応するアップリンク伝送波形である。
【０１１０】
本発明の実施例において、ネットワークデバイスがＵＥへ指示メッセージを送信することによって、ＵＥに異なるビームで対応するアップリンク伝送波形を使用してデータを送信することを通知し、これによってＵＥは比較的適当なアップリンク伝送波形によって異なるビームでデータを伝送することができ、これにより良いアップリンクカバレッジ範囲とアップリンク伝送品質を得ることができ、アップリンク伝送の性能を提供する。
【０１１１】
選択可能に、１つの実施例として、該少なくとも１つのビームは２つ又は２つ以上のビームを含み、少なくとも１つのビームの中の異なるビームの対応するアップリンク伝送波形は完全に同じではない。
【０１１２】
選択可能に、１つの実施例として、該第２ビームの対応するアップリンク伝送波形は、ネットワークデバイスが該第２ビームの対応する伝送チャネルのチャネル品質情報又は該ＵＥがセルでの位置情報によって確定されたものである。
【０１１３】
選択可能に、１つの実施例として、該少なくとも１つのビームは第１ビームを含まなく、送信機３５０は具体的に、第１ビームが遮断された場合に、第２ビームで第２アップリンク伝送波形を使用してネットワークデバイスへデータを送信することに用いられる。
【０１１４】
選択可能に、１つの実施例として、該第１指示メッセージは更に少なくとも１つのビームがＵＥのスタンバイビームであることを指示することに用いられる。
【０１１５】
選択可能に、１つの実施例として、該受信機３４０は更に、ネットワークデバイスが送信した少なくとも１つのビームの対応するアップリンク伝送波形を指示するための第２指示メッセージを受信することに用いられ、第２指示メッセージに指示された少なくとも１つのビームの対応するアップリンク伝送波形は、第１指示メッセージに指示された少なくとも１つのビームの対応するアップリンク伝送波形と異なり、送信機３５０はさらに、少なくとも１つのビームの中の第３ビームで第３アップリンク伝送波形を使用してネットワークデバイスへデータを送信することに用いられ、第３アップリンク伝送波形は第２指示メッセージに指示された第３ビームの対応するアップリンク伝送波形である。
【０１１６】
選択可能に、１つの実施例として、該第１指示メッセージは高レベルシグナリング又はダウンリンク制御情報ＤＣＩである。
【０１１７】
選択可能に、１つの実施例として、該アップリンク伝送波形は離散フーリエ変換スペクトラム拡散の直交周波数分割多重アクセスＤＦＴ−Ｓ−ＯＦＤＭ技術で確定された波形又はサイクリックプレフィックス−直交周波数分割多重アクセスＣＰ−ＯＦＤＭ技術で確定された波形を含む。
【０１１８】
理解すべきは、図２に示すユーザ装置２００又は図３に示すユーザ装置３００は上記方法の実施例におけるユーザ装置に関連する操作又はプロセスを実行することに用いられ、且つユーザ装置２００又はユーザ装置３００における各モジュールの操作及び／又は機能はそれぞれ上記方法の実施例における対応するプロセスを実現するためのものであり、簡単にするために、ここで繰り返して説明しない。
【０１１９】
図４は本発明の実施例によるネットワークデバイス４００の概略ブロック図を示し、該ネットワークデバイス４００は受信モジュール４１０、確定モジュール４２０及び送信モジュール４３０を含む。
【０１２０】
受信モジュール４１０は、ユーザ装置ＵＥが第１ビームで第１アップリンク伝送波形を利用して送信したデータを受信することに用いられる。
【０１２１】
確定モジュール４２０は、少なくとも１つのビームの対応するアップリンク伝送波形を確定することに用いられる。
【０１２２】
送信モジュール４３０は、ＵＥへ少なくとも１つのビームの対応するアップリンク伝送波形を指示するための第１指示メッセージを送信する。
【０１２３】
本発明の実施例において、ネットワークデバイスがＵＥへ指示メッセージを送信することによって、ＵＥに異なるビームで対応するアップリンク伝送波形を使用してデータを送信し、これによってＵＥは比較的適当なアップリンク伝送波形によって異なるビームでデータを伝送することができ、これによって良いアップリンクカバレッジ範囲とアップリンク伝送品質を得ることができ、アップリンク伝送の性能を提供する。
【０１２４】
選択可能に、１つの実施例として、該少なくとも１つのビームは２つ又は２つ以上のビームを含み、少なくとも１つのビームの中の異なるビームの対応するアップリンク伝送波形は完全に同じではない。
【０１２５】
選択可能に、１つの実施例として、該確定モジュール４２０は、該各ビームの対応する伝送チャネルのチャネル品質情報と、該ＵＥがセルでの位置情報のうちの少なくとも１種の情報によって、該少なくとも１つのビームの中の各ビームのアップリンク伝送波形を確定することに用いられる。
【０１２６】
選択可能に、１つの実施例として、該少なくとも１つのビームは第１ビームを含まなく、第１指示メッセージは更にＵＥが少なくとも１つのビームをスタンバイビームとすることを指示することに用いられる。
【０１２７】
選択可能に、１つの実施例として、該確定モジュール４２０は更に、少なくとも１つのビームの対応するアップリンク伝送波形を再び確定することに用いられ、再び確定された少なくとも１つのビームの対応するアップリンク伝送波形が前回確定された少なくとも１つのビームの対応するアップリンク伝送波形と異なり、送信モジュール４３０は更に、ＵＥへ再び確定された少なくとも１つのビームの対応するアップリンク伝送波形を指示するための第２指示メッセージを送信することに用いられる。
【０１２８】
選択可能に、１つの実施例として、該第１指示メッセージは高レベルシグナリング又はダウンリンク制御情報ＤＣＩである。
【０１２９】
選択可能に、１つの実施例として、該アップリンク伝送波形はＤＦＴ−Ｓ−ＯＦＤＭ技術で確定された波形又はＣＰ−ＯＦＤＭ技術で確定された波形を含む。
【０１３０】
具体的には、本発明の実施例における確定モジュール４２０はプロセッサー又はプロセッサーの関連回路で実現されてもよい。受信モジュール４１０は受信機又は受信機の関連回路で実現されてもよい。送信モジュール４３０は送信機又は送信機の関連回路で実現されてもよい。
【０１３１】
図５に示すように、本発明の実施例はネットワークデバイス５００を更に提供し、該ネットワークデバイス５００は、プロセッサー５１０、メモリ５２０、バスシステム５３０、受信機５４０及び送信機５５０を含む。プロセッサー５１０、メモリ５２０、受信機５４０及び送信機５５０はバスシステム５３０によって接続され、該メモリ５２０は命令を記憶することに用いられ、該プロセッサー５１０は該メモリ５２０に記憶される命令を実行することに用いられ、これにより受信機５４０が信号を受信するように制御し、且つ送信機５５０が信号を送信するように制御する。受信機５４０は、ユーザ装置ＵＥが第１ビームで第１アップリンク伝送波形を利用して送信されたデータを受信することに用いられ、プロセッサー５１０は、少なくとも１つのビームの対応するアップリンク伝送波形を確定することに用いられ、送信機５３０は、ＵＥへ少なくとも１つのビームの対応するアップリンク伝送波形を指示するための第１指示メッセージを送信することに用いられる。
【０１３２】
本発明の実施例において、ネットワークデバイスがＵＥへ指示メッセージを送信することによって、ＵＥに異なるビームで対応するアップリンク伝送波形を使用してデータを送信することに通知し、これによりＵＥは比較的適当なアップリンク伝送波形によって異なるビームでデータを伝送することができ、これにより良いアップリンクカバレッジ範囲とアップリンク伝送品質を得ることができ、アップリンク伝送の性能を提供する。
【０１３３】
選択可能に、１つの実施例として、該少なくとも１つのビームは２つ又は２つ以上のビームを含み、少なくとも１つのビームの中の異なるビームの対応するアップリンク伝送波形は完全に同じではない。
【０１３４】
選択可能に、１つの実施例として、該プロセッサー５１０は具体的には該各ビームの対応する伝送チャネルのチャネル品質情報と、該ＵＥがセルでの位置情報のうちの少なくとも１種の情報によって、該少なくとも１つのビームの中の各ビームのアップリンク伝送波形を確定することに用いられる。
【０１３５】
選択可能に、１つの実施例として、該少なくとも１つのビームは第１ビームを含まなく、第１指示メッセージは更にＵＥが少なくとも１つのビームをスタンバイビームとするように指示することに用いられる。
【０１３６】
選択可能に、１つの実施例として、該プロセッサー５１０は更に、少なくとも１つのビームの対応するアップリンク伝送波形を再び確定することに用いられ、再び確定された少なくとも１つのビームの対応するアップリンク伝送波形は前回確定された少なくとも１つのビームの対応するアップリンク伝送波形と異なり、送信機５３０は更にＵＥへ再び確定された少なくとも１つのビームの対応するアップリンク伝送波形を指示するための第２指示メッセージを送信することに用いられる。
【０１３７】
選択可能に、１つの実施例として、該第１指示メッセージは高レベルシグナリング又はダウンリンク制御情報ＤＣＩである。
【０１３８】
選択可能に、１つの実施例として、該アップリンク伝送波形はＤＦＴ−Ｓ−ＯＦＤＭ技術で確定された波形又はＣＰ−ＯＦＤＭ技術で確定された波形を含む。
【０１３９】
理解すべきは、図４に示すネットワークデバイス４００又は図５に示すネットワークデバイス５００は上記方法実施例におけるネットワークデバイスに関連する操作又はプロセスを実行することに用いられることができ、且つネットワークデバイス４００又はネットワークデバイス５００における各モジュールの操作及び／又は機能はそれぞれ上記方法の実施例における対応するプロセスを実現するためのものであり、簡単にするために、ここで繰り返して説明しない。
【０１４０】
理解すべきは、本発明の実施例におけるプロセッサーは中央処理ユニット（Ｃｅｎｔｒａｌ  Ｐｒｏｃｅｓｓｉｎｇ  Ｕｎｉｔ、ＣＰＵ）であっても良いし、他の汎用プロセッサー、デジタル信号プロセッサー（Ｄｉｇｉｔａｌ  Ｓｉｇｎａｌ  Ｐｒｏｃｅｓｓｏｒ、ＤＳＰ）、専用集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又は他のプログラマブルロジックデバイス、離散ゲート又はトランジスタ論理デバイス、ディスクリートハードウェアコンポーネント等であってもよい。汎用プロセッサーはマイクロプロセッサであってもよく、又は該プロセッサーは任意の従来のプロセッサー等であってもよい。
【０１４１】
更に理解すべきは、本発明の実施例におけるメモリは揮発性メモリ又は非揮発性メモリであってもよく、又は揮発性と非揮発性メモリを含んでもよい。非揮発性メモリは読み取り専用メモリ（Ｒｅａｄ−Ｏｎｌｙ  Ｍｅｍｏｒｙ、ＲＯＭ）、プログラマブル読み取り専用メモリ（Ｐｒｏｇｒａｍｍａｂｌｅ  ＲＯＭ、ＰＲＯＭ）、消去可能なプログラマブル読み取り専用メモリ（Ｅｒａｓａｂｌｅ  ＰＲＯＭ、ＥＰＲＯＭ）、電気的消去可能なプログラマブル読み取り専用メモリ（Ｅｌｅｃｔｒｉｃａｌｌｙ  ＥＰＲＯＭ、ＥＥＰＲＯＭ）又はフラッシュメモリであってもよい。揮発性メモリはランダムアクセスメモリ（Ｒａｎｄｏｍ  Ａｃｃｅｓｓ  Ｍｅｍｏｒｙ、ＲＡＭ）であってもよく、それは外部高速キャッシュとして用いられる。例示するためのものであるが制限的な説明ではない、複数の様式のＲＡＭ、例えばスタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、同期ダイナミックランダムアクセスメモリ（Ｓｙｎｃｈｒｏｎｏｕｓ  ＤＲＡＭ、ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、拡張型同期ダイナミックランダムアクセスメモリ（Ｅｎｈａｎｃｅｄ  ＳＤＲＡＭ、ＥＳＤＲＡＭ）、同期接続ダイナミックランダムアクセスメモリ（Ｓｙｎｃｈｌｉｎｋ  ＤＲＡＭ、ＳＬＤＲＡＭ）及びダイレクトラムバスランダムアクセスメモリ（Ｄｉｒｅｃｔ  Ｒａｍｂｕｓ  ＲＡＭ、ＤＲ  ＲＡＭ）を使用することができる。
【０１４２】
なお、プロセッサーが汎用プロセッサー、ＤＳＰ、ＡＳＩＣ、ＦＰＧＡ又は他のプログラマブルロジックデバイス、離散ゲート又はトランジスタ論理デバイス、ディスクリートハードウェアコンポーネントである時、メモリ（記憶モジュール）はプロセッサーに集積される。
【０１４３】
更に理解すべきは、本発明の実施例において、バスシステムはデータバスを含む以外、電源バス、制御バス及び状態信号バス等を更に含んでもよい。しかし、明確に説明するために、図３と図５において各種のバスをすべてバスシステムと標記する。
【０１４４】
実現過程において、上記方法の各ステップはプロセッサーにおけるハードウェアの集積ロジック回路又はソフトウェア形式の命令で完成されてもよい。本発明の実施例を組み合わせて開示された方法のステップは直接にハードウェアプロセッサーで実行して完成され、又はプロセッサーにおけるハードウェア及びソフトウェアモジュールの組み合わせによって実行して完成されると表現されることができる。ソフトウェアモジュールはランダムアクセスメモリ、フラッシュメモリ、読み出し専用メモリ、プログラム可能読み出し専用メモリまたは電気的消去可能プログラマブルメモリ、レジスタなどの本分野において成熟した記憶媒体に位置することができる。該記憶媒体はメモリに位置し、プロセッサーはメモリにおける情報を読み取り、そのハードウェアを組み合わせて上記方法のステップを完成する。繰り返して説明しないように、ここで再び詳しく説明しない。
【０１４５】
更に理解すべきは、本文による各種の数字番号が説明の便利のために区別されるものであり、本発明の実施例の範囲を制限するためのものではない。
【０１４６】
理解すべきは、本発明の実施例において、上記各過程の番号は実行順序の前後を意味しなく、各過程の実行順序はその機能及び組み込み論理により確定されるべきであり、本発明の実施例の実施過程を制限しない。
【０１４７】
当業者は、本文に開示された実施例に記載の各例のユニット及びアルゴリズムステップを組み合わせて、電子ハードウェア、又はコンピュータソフトウェア及び電子ハードウェアの組み合わせで実現することができることを認識することができる。これらの機能はハードウェアで実行するかソフトウェアで実行するかは、技術案の特定のアプリケーションおよび設計制約によって決められる。当業者は各特定のアプリケーションに対して異なる方法で説明した機能を実現することができるが、このような実現は本発明の範囲を超えると考えられない。
【０１４８】
本発明によるいくつかの実施例において、開示した装置及び方法は、その他の方式によって実現されることができることを理解すべきである。例えば以上のような装置実施例は単に例示的なものであり、例えば、前記ユニットの分割は、ロジック機能分の割だけであり、実際に実現する時に別の分割方式があり、例えば、複数のモジュール又は組立部品を結合してもよいし、又は別のモジュールに集積してもよいし、又はいくつかの特徴を無視でき、又は実行しなくてもよい。
【０１４９】
上記の分離部材として説明したモジュールは物理的に分離してもよいし、又は物理的に分離しなくてもよく、モジュールとして表示する部材は物理モジュールであってもよいし、又は物理モジュールではなくてもよく、即ち１つの場所に位置してもよいし、複数のネットワークユニットに分布してもよい。
【０１５０】
また、本発明の各実施例における各機能モジュールは１つの処理モジュールに集積されてもよいし、各モジュールは単独に物理的に存在してもよいし、２つ又は２つ以上のモジュールは１つのモジュールに集積されてもよい。
【０１５１】
以上のように、単に本発明の具体的な実施形態であり、当業者は誰でも、本発明に開示された技術範囲において、想到しやすい変化又は置換はすべて本発明実施例の保護範囲に含まれる。このため、本発明実施例の保護範囲は前記請求の範囲の保護範囲を基準とすべきである。
【図１】
2020504474.tif 000003
【図２】
2020504474.tif 000004
【図３】
2020504474.tif 000005
【図４】
2020504474.tif 000006
【図５】
2020504474.tif 000007
【手続補正書】
【提出日】令和1年10月21日(2019.10.21)
【手続補正１】
【補正対象書類名】明細書
【補正対象項目名】００３５
【補正方法】変更
【補正の内容】
【００３５】
第８態様において、コンピュータ可読媒体を提供し、コンピュータプログラムを記憶することに用いられ、該コンピュータプログラムは第２態様又は第２態様の任意１種の可能な実現方式の中の方法を実行するための命令を含む。
【手続補正２】
【補正対象書類名】明細書
【補正対象項目名】００３６
【補正方法】変更
【補正の内容】
【００３６】
このため、本発明の実施例において、ネットワークデバイスによってユーザ装置へ指示メッセージを送信することによって、異なるビームで対応するアップリンク伝送波形を使用してデータを送信することをユーザ装置に告知し、これによりユーザ装置は比較的適当なアップリンク伝送波形によって異なるビームでデータを伝送することができ、これによって良いアップリンクカバレッジ範囲とアップリンク伝送品質を得ることができ、アップリンク伝送の性能を向上させる。
【手続補正３】
【補正対象書類名】明細書
【補正対象項目名】００４６
【補正方法】変更
【補正の内容】
【００４６】
選択可能に、該デフォルト／スタンバイのアップリンク伝送波形はＵＥ自分で設定されたものであってもよいし、又は該デフォルト／スタンバイのアップリンク伝送波形はプロトコルで規定されたものであってもよいし、又は該デフォルト／スタンバイのアップリンク伝送波形はＵＥがネットワーク側デバイス（例えば該ネットワークデバイス）のシステム情報によって設定されたものであってもよい。
【手続補正４】
【補正対象書類名】明細書
【補正対象項目名】００５９
【補正方法】変更
【補正の内容】
【００５９】
このため、本発明の実施例において、ネットワークデバイスによってＵＥへ指示メッセージを送信して、ＵＥに異なるビームで対応するアップリンク伝送波形を利用してデータを送信することを通知し、これによりＵＥは比較的適当なアップリンク伝送波形によって異なるビームでデータを伝送することができ、これにより良いアップリンクカバレッジ範囲とアップリンク伝送品質を得ることができ、アップリンク伝送の性能を向上させる。
【手続補正５】
【補正対象書類名】明細書
【補正対象項目名】００９３
【補正方法】変更
【補正の内容】
【００９３】
以上を纏め、本発明の実施例による技術的手段は、ネットワークデバイスがＵＥへ指示メッセージを送信することによって、ＵＥに異なるビームで対応するアップリンク伝送波形を使用してデータを送信することを通知し、これによってＵＥは比較的適当なアップリンク伝送波形によって異なるビームでデータを伝送することができ、これにより良いアップリンクカバレッジ範囲とアップリンク伝送品質を得ることができ、アップリンク伝送の性能を向上させる。
【手続補正６】
【補正対象書類名】明細書
【補正対象項目名】００９８
【補正方法】変更
【補正の内容】
【００９８】
本発明の実施例において、ネットワークデバイスがＵＥへ指示メッセージを送信することによって、ＵＥに異なるビームで対応するアップリンク伝送波形を使用してデータを送信するように通知し、これによってＵＥは比較的適当なアップリンク伝送波形によって異なるビームでデータを伝送することができ、これによって良いアップリンクカバレッジ範囲とアップリンク伝送品質を得ることができ、アップリンク伝送の性能を向上させる。
【手続補正７】
【補正対象書類名】明細書
【補正対象項目名】０１０８
【補正方法】変更
【補正の内容】
【０１０８】
本発明の実施例において、ネットワークデバイスがＵＥへ指示メッセージを送信することによって、ＵＥに異なるビームで対応するアップリンク伝送波形を使用してデータを送信することを通知し、これによってＵＥは比較的適当なアップリンク伝送波形によって異なるビームでデータを伝送することができ、これにより良いアップリンクカバレッジ範囲とアップリンク伝送品質を得ることができ、アップリンク伝送の性能を向上させる。
【手続補正８】
【補正対象書類名】明細書
【補正対象項目名】０１２１
【補正方法】変更
【補正の内容】
【０１２１】
本発明の実施例において、ネットワークデバイスがＵＥへ指示メッセージを送信することによって、ＵＥに異なるビームで対応するアップリンク伝送波形を使用してデータを送信し、これによってＵＥは比較的適当なアップリンク伝送波形によって異なるビームでデータを伝送することができ、これによって良いアップリンクカバレッジ範囲とアップリンク伝送品質を得ることができ、アップリンク伝送の性能を向上させる。
【手続補正９】
【補正対象書類名】明細書
【補正対象項目名】０１３０
【補正方法】変更
【補正の内容】
【０１３０】
本発明の実施例において、ネットワークデバイスがＵＥへ指示メッセージを送信することによって、ＵＥに異なるビームで対応するアップリンク伝送波形を使用してデータを送信することに通知し、これによりＵＥは比較的適当なアップリンク伝送波形によって異なるビームでデータを伝送することができ、これにより良いアップリンクカバレッジ範囲とアップリンク伝送品質を得ることができ、アップリンク伝送の性能を向上させる。
【手続補正１０】
【補正対象書類名】特許請求の範囲
【補正対象項目名】全文
【補正方法】変更
【補正の内容】
【特許請求の範囲】
【請求項１】
データ伝送の方法であって、
ユーザ装置ＵＥは第１ビームで第１アップリンク伝送波形を使用してネットワークデバイスへデータを送信すること、
前記ＵＥは前記ネットワークデバイスが送信した第１指示メッセージを受信し、前記第１指示メッセージは少なくとも１つのビームの対応するアップリンク伝送波形を指示することに用いられること、及び
前記ＵＥは前記少なくとも１つのビームの中の第２ビームで第２アップリンク伝送波形を使用して前記ネットワークデバイスへデータを送信し、前記第２アップリンク伝送波形が前記第１指示メッセージに指示された前記第２ビームの対応するアップリンク伝送波形であること、を含むことを特徴とするデータ伝送の方法。
【請求項２】
前記第１アップリンク伝送波形は前記ＵＥにより設定されたデフォルト／スタンバイのアップリンク伝送波形であり、システムの関連設定情報が受信されていない時、前記ＵＥは前記デフォルト／スタンバイのアップリンク伝送波形でアップリンク伝送を行うことを特徴とする請求項１に記載の方法。
【請求項３】
前記デフォルト／スタンバイのアップリンク伝送波形は前記ＵＥが前記ネットワークデバイスのシステム情報によって設定されたものであることを特徴とする請求項２に記載の方法。
【請求項４】
前記少なくとも１つのビームは前記第１ビームを含まなく、前記ＵＥは前記少なくとも１つのビームの中の第２ビームで、第２アップリンク伝送波形を使用して前記ネットワークデバイスへデータを送信することは、
前記第１ビームが遮断された場合に、前記ＵＥは前記第２ビームで前記第２アップリンク伝送波形を使用して、前記ネットワークデバイスへデータを送信することを含むことを特徴とする請求項１−３のいずれか一項に記載の方法。
【請求項５】
前記方法は、
前記ＵＥは前記ネットワークデバイスが送信した第２指示メッセージを受信し、前記第２指示メッセージは前記少なくとも１つのビームの対応するアップリンク伝送波形を指示することに用いられること、及び
前記ＵＥが前記少なくとも１つのビームの中の第３ビームで第３アップリンク伝送波形を使用して前記ネットワークデバイスへデータを送信し、前記第３アップリンク伝送波形が前記第２指示メッセージに指示された前記第３ビームの対応するアップリンク伝送波形であることを更に含むことを特徴とする請求項１−４のいずれか一項に記載の方法。
【請求項６】
前記第２指示メッセージに指示された前記少なくとも１つのビームの対応するアップリンク伝送波形は、前記第１指示メッセージに指示された前記少なくとも１つのビームの対応するアップリンク伝送波形と異なることを特徴とする請求項５に記載の方法。
【請求項７】
前記第１指示メッセージは高レベルシグナリング又はダウンリンク制御情報ＤＣＩであることを特徴とする請求項１−６のいずれか一項に記載の方法。
【請求項８】
前記アップリンク伝送波形は離散フーリエ変換スペクトラム拡散の直交周波数分割多重アクセスＤＦＴ−Ｓ−ＯＦＤＭ技術で確定された波形又はサイクリックプレフィックス−直交周波数分割多重アクセスＣＰ−ＯＦＤＭ技術で確定された波形を含むことを特徴とする請求項１−７のいずれか一項に記載の方法。
【請求項９】
データ伝送の方法であって、
ネットワークデバイスはユーザ装置ＵＥが第１ビームで第１アップリンク伝送波形を利用して送信されたデータを受信すること、
前記ネットワークデバイスは少なくとも１つのビームの対応するアップリンク伝送波形を確定すること、及び
前記ネットワークデバイスは前記ＵＥへ第１指示メッセージを送信し、前記第１指示メッセージは前記少なくとも１つのビームの対応するアップリンク伝送波形を指示することに用いられることを含むことを特徴とするデータ伝送の方法。
【請求項１０】
前記第１アップリンク伝送波形は前記ＵＥにより設定されたデフォルト／スタンバイのアップリンク伝送波形であり、システムの関連設定情報が受信されていない時、前記ＵＥは前記デフォルト／スタンバイのアップリンク伝送波形でアップリンク伝送を行うことを特徴とする請求項９に記載の方法。
【請求項１１】
前記デフォルト／スタンバイのアップリンク伝送波形は前記ＵＥが前記ネットワークデバイスのシステム情報によって設定されたものであることを含むことを特徴とする請求項１０に記載の方法。
【請求項１２】
前記方法は、
前記ネットワークデバイスが前記少なくとも１つのビームの対応するアップリンク伝送波形を再び確定すること、及び
前記ネットワークデバイスが前記ＵＥへ第２指示メッセージを送信し、前記第２指示メッセージが前記再び確定された前記少なくとも１つのビームの対応するアップリンク伝送波形を指示することに用いられることを更に含むことを特徴とする請求項９−１１のいずれか一項に記載の方法。
【請求項１３】
前記再び確定された前記少なくとも１つのビームの対応するアップリンク伝送波形は、前回確定された前記少なくとも１つのビームの対応するアップリンク伝送波形と異なることを特徴とする請求項１２に記載の方法。
【請求項１４】
前記第１指示メッセージは高レベルシグナリング又はダウンリンク制御情報ＤＣＩであることを特徴とする請求項９−１３のいずれか一項に記載の方法。
【請求項１５】
前記アップリンク伝送波形はＤＦＴ−Ｓ−ＯＦＤＭ技術で確定された波形又はＣＰ−ＯＦＤＭ技術で確定された波形を含むことを特徴とする請求項９−１４のいずれか一項に記載の方法。
【請求項１６】
ユーザ装置ＵＥであって、
第１ビームで第１アップリンク伝送波形を使用してネットワークデバイスへデータを送信するための送信モジュールと、
前記ネットワークデバイスが送信した少なくとも１つのビームの対応するアップリンク伝送波形を指示するための第１指示メッセージを受信するための受信モジュールと、を含み、
前記送信モジュールは更に、前記少なくとも１つのビームの中の第２ビームで第２アップリンク伝送波形を使用して前記ネットワークデバイスへデータを送信することに用いられ、前記第２アップリンク伝送波形が前記第１指示メッセージに指示された前記第２ビームの対応するアップリンク伝送波形であることを特徴とするユーザ装置ＵＥ。
【請求項１７】
前記第１アップリンク伝送波形は前記ＵＥにより設定されたデフォルト／スタンバイのアップリンク伝送波形であり、システムの関連設定情報が受信されていない時、前記ＵＥは前記デフォルト／スタンバイのアップリンク伝送波形でアップリンク伝送を行うことを特徴とする請求項１６に記載のユーザ装置。
【請求項１８】
前記デフォルト／スタンバイのアップリンク伝送波形は前記ＵＥが前記ネットワークデバイスのシステム情報によって設定されたものであることを特徴とする請求項１７に記載のユーザ装置。
【請求項１９】
前記少なくとも１つのビームは前記第１ビームを含まなく、前記送信モジュールは、前記第１ビームが遮断された場合に、前記第２ビームで前記第２アップリンク伝送波形を使用して前記ネットワークデバイスへデータを送信することに用いられることを特徴とする請求項１６−１８のいずれか一項に記載のユーザ装置。
【請求項２０】
前記受信モジュールは更に、前記ネットワークデバイスが送信した第２指示メッセージを受信することに用いられ、前記第２指示メッセージは前記少なくとも１つのビームの対応するアップリンク伝送波形を指示することに用いられ、
前記送信モジュールは更に、前記少なくとも１つのビームの中の第３ビームで第３アップリンク伝送波形を使用して前記ネットワークデバイスへデータを送信することに用いられ、前記第３アップリンク伝送波形が前記第２指示メッセージに指示された前記第３ビームの対応するアップリンク伝送波形であることを特徴とする請求項１６−１９のいずれか一項に記載のユーザ装置。
【請求項２１】
前記第２指示メッセージに指示された前記少なくとも１つのビームの対応するアップリンク伝送波形は、前記第１指示メッセージに指示された前記少なくとも１つのビームの対応するアップリンク伝送波形と異なることを特徴とする請求項２０に記載のユーザ装置。
【請求項２２】
前記第１指示メッセージは高レベルシグナリング又はダウンリンク制御情報ＤＣＩであることを特徴とする請求項１９−２１のいずれか一項に記載のユーザ装置。
【請求項２３】
前記アップリンク伝送波形はＤＦＴ−Ｓ−ＯＦＤＭ技術で確定された波形又はＣＰ−ＯＦＤＭ技術で確定された波形を含むことを特徴とする請求項１９−２２のいずれか一項に記載のユーザ装置。
【請求項２４】
ネットワークデバイスであって、
ユーザ装置ＵＥが第１ビームで第１アップリンク伝送波形を利用して送信されたデータを受信するための受信モジュールと、
少なくとも１つのビームの対応するアップリンク伝送波形を確定するための確定モジュールと、
前記ＵＥへ第１指示メッセージを送信し、前記第１指示メッセージは前記少なくとも１つのビームの対応するアップリンク伝送波形を指示するための送信モジュールと、含むことを特徴とするネットワークデバイス。
【請求項２５】
前記第１アップリンク伝送波形は前記ＵＥにより設定されたデフォルト／スタンバイのアップリンク伝送波形であり、システムの関連設定情報が受信されていない時、前記ＵＥは前記デフォルト／スタンバイのアップリンク伝送波形でアップリンク伝送を行うことを特徴とする請求項２４に記載のネットワークデバイス。
【請求項２６】
前記デフォルト／スタンバイのアップリンク伝送波形は前記ＵＥが前記ネットワークデバイスのシステム情報によって設定されたものであることを特徴とする請求項２５に記載のネットワークデバイス。
【請求項２７】
前記確定モジュールは更に、前記少なくとも１つのビームの対応するアップリンク伝送波形を再び確定することに用いられ、
前記送信モジュールは更に、前記ＵＥへ第２指示メッセージを送信することに用いられ、前記第２指示メッセージが前記再び確定された前記少なくとも１つのビームの対応するアップリンク伝送波形を指示することに用いられることを特徴とする請求項２４−２６のいずれか一項に記載のネットワークデバイス。
【請求項２８】
前記再び確定された前記少なくとも１つのビームの対応するアップリンク伝送波形は、前回確定された前記少なくとも１つのビームの対応するアップリンク伝送波形と異なることを特徴とする請求項２７に記載のネットワークデバイス。
【請求項２９】
前記第１指示メッセージは高レベルシグナリング又はダウンリンク制御情報ＤＣＩであることを特徴とする請求項２４−２８のいずれか一項に記載のネットワークデバイス。
【請求項３０】
前記アップリンク伝送波形はＤＦＴ−Ｓ−ＯＦＤＭ技術で確定された波形又はＣＰ−ＯＦＤＭ技術で確定された波形を含むことを特徴とする請求項２４−２９のいずれか一項に記載のネットワークデバイス。
【手続補正１１】
【補正対象書類名】図面
【補正対象項目名】図１
【補正方法】変更
【補正の内容】
【図１】
2020504474.tif 000008
【国際調査報告】
2020504474.tif 000009
2020504474.tif 000010